(57)【要約】【課題】複数の制御装置が遊技機枠に容易に着脱できるようにする。【解決手段】取付可動盤１５が左右に横移動されることによって可動枠３に着脱され、鉤部２９；３３が案内孔２１；２４に挿入された状態において制御装置２５；２６が左右に横移動されることによって取付可動盤１５に着脱され、制御装置２５；２６の横移動に伴い、可動枠３の側のコネクタ１０；１１と制御装置２５；２６のコネクタ３０；３４とが着脱されるというように、取付可動盤１５の可動枠３への着脱方向と、制御装置２５；２６の取付可動盤１５への着脱方向と、コネクタ１０；１１とコネクタ３０；３４の着脱方向とが、同じ方向に構成されている。各着脱方向は、上下に移動される構造であってもよい。【選択図】図１
2009072364.tif 000002
【特許請求の範囲】
【請求項１】
遊技機枠における可動枠の後部に横移動可能に着脱される取付可動盤と、取付可動盤の後部に複数の制御装置を個別に横移動可能に着脱するように設けられた複数の制御取付部とを備えたことを特徴とする遊技機の制御取付装置。
【請求項２】
可動枠の後部には可動枠に固定された取付固定台と取付固定台に前後方向および上下方向に移動可能に設けられかつ複数の制御装置のコネクタに個別に嵌め込まれるコネクタとからなるコネクタユニットが設けられたことを特徴とする請求項１記載の遊技機の制御取付装置。
【発明の詳細な説明】
【技術分野】
【０００１】
本発明は、複数の制御装置が遊技機枠に容易に着脱できる遊技機の制御取付装置に関する。
【背景技術】
【０００２】
図７は、特許文献１で開示された遊技機の制御取付装置を示す。図７において、取付台８１が遊技機枠１の制御取付部に固定され、係合突起８２が取付台８１の左右側壁に設けられ、係合溝８３が制御装置８４における制御容器８５の左右側壁に設けられ、そして、制御装置８４が取付台８１の後方から前方に直線的に移動されて取付台８１の左右側壁の間の空間に挿入され、係合溝８３が係合突起８２に嵌め込まれたまま、制御装置８４が遊技機枠１の後部と平行に上方に移動されることによって、制御装置８４が遊技機枠１の後部に機構的に取り付けられ、制御装置８４のコネクタ８６が取付台８１のコネクタ８７に通電可能に接続される。その状態において、制御装置８４が遊技機枠１の後部と平行に下方に移動されることによって、コネクタ８６がコネクタ８７から引き抜かれた後、制御装置８４が前方から後方に直線的に移動されることによって、係合溝８３が係合突起８２から解除され、制御装置８４が遊技機枠１の後部から取り外される。つまり、図７における遊技機の制御取付装置は、制御装置８４の機構的な取付と通電可能な接続とが行える。しかしながら、１つの制御装置８４を１つの取付台８１に着脱する構造であるので、複数の制御装置８４を遊技機枠１に容易に着脱することができないという欠点がある。
【特許文献１】特開２００６−２０４５７９公報
【発明の開示】
【発明が解決しようとする課題】
【０００３】
発明が解決しようとする問題点は、複数の制御装置を遊技機枠に容易に着脱することができないという点である。
【課題を解決するための手段】
【０００４】
本発明に係る遊技機の制御取付装置は、遊技機枠における可動枠の後部に横移動可能に着脱される取付可動盤と、取付可動盤の後部に複数の制御装置を個別に横移動可能に着脱するように設けられた複数の制御取付部とを備えたことを最も主要な特徴とする。可動枠の後部には可動枠に固定された取付固定台と取付固定台に前後方向および上下方向に移動可能に設けられかつ複数の制御装置のコネクタに個別に嵌め込まれるコネクタとからなるコネクタユニットが設けられてもよい。
【発明の効果】
【０００５】
本発明に係る遊技機の制御取付装置は、取付可動盤の可動枠への着脱方向と、複数の制御装置の取付可動盤への着脱方向とが同じ方向に構成されたことによって複数の制御装置が可動枠に取り付けられた取付可動盤に個別に着脱してもよいが、複数の制御装置が取付可動盤に取り付けられた後、取付可動盤が可動枠に取り付けられることによって、複数の制御装置が遊技機枠の制御装置を取り付ける対象構造体としての可動枠の後部に容易に着脱できるという利点がある。可動枠の後部には可動枠に固定された取付固定台と取付固定台に前後方向および上下方向に移動可能に設けられかつ複数の制御装置のコネクタに個別に嵌め込まれるコネクタとからなるコネクタユニットが設けられれば、取付可動盤の可動枠への着脱方向と、複数の制御装置の取付可動盤への着脱方向と、複数の制御装置におけるコネクタと可動枠の側のコネクタユニットにおける複数のコネクタとの着脱方向とが同じ方向に構成されるので、複数の制御装置のコネクタの電気接続端子と可動枠の側の複数のコネクタの電気接続端子とが適切に通電可能に接続されるという利点がある。
【発明を実施するための最良の形態】
【０００６】
図１は、遊技機の制御取付装置を分解して示す。図２は、制御装置２５；２６を備えた取付可動盤１５がレール７に嵌め込まれて右側から左側に移動した途中の形態における遊技機枠１を示す。図３は、コネクタユニット８を分解して示す。図４は、コネクタユニット８および制御装置２５；２６を分解して示す。図５は、解除レバー５２の動作を示す。本明細書において、「前」、「後」、「左」、「右」、「上」、「下」の方向は、図１の状態に遊技機枠１を置いて矢印Ｓで示す前側から見た場合に特定される方向である。
【０００７】
図１を参照し、パチンコ遊技機を例として遊技機の制御取付装置について説明する。遊技機の制御取付装置は、遊技機枠１に複数の制御装置２５；２６を取り付けたり取り外したりするための装置である。遊技機枠１は、固定枠２の前部に可動枠３を開閉可能に備える。固定枠２は、遊技機設置設備に固定される外枠とも呼ばれる。遊技機設置設備は、パチンコ遊技機を設置する遊技店の島と呼ばれる設備である。可動枠３は、左側部に位置するヒンジ４を中心とし、固定枠２の前部において前方に開かれかつ後方に閉じられるように片開き可能な前枠とも呼ばれる。
【０００８】
可動枠３には、盤収容室５、中央開口部６、レール７、コネクタユニット８などが設けられる。盤収容室５は、前方に開口し、前後方向に奥行の有る箱形に構成される。盤収容室５には、図外の遊技盤が前方から交換可能に取り付けられる。中央開口部６は、盤収容室５の背壁に前後方向への貫通孔として形成される。レール７は、相対峙する一対であって、中央開口部６の上縁部および中央開口部６の下縁部に位置し、盤収容室５の後部に固定され、取付可動盤１５を左右方向に移動可能でかつ前後方向と上下方向に移動不能となるように摺接係合させる構造である。
【０００９】
コネクタユニット８は、取付固定台９および複数のコネクタ１０；１１を備える。取付固定台９は、盤収容室５の左側部に位置し、可動枠３の後部に固定される。取付固定台９には、コネクタ取付部１２；１３が設けられる。コネクタ取付部１２；１３の左面は、可動枠３の後面と直交するように、取付固定台９から後方に突出する。複数のコネクタ１０；１１は、上下に分かれ、コネクタ取付部１２；１３に個別にフローティング支持（遊動支持）される。つまり、コネクタ１０；１１が図外の固着具でコネクタ取付部１２；１３の左面に個別に取り付けられることによって、固着具の外周面とコネクタ１０；１１の取付孔との間に隙間が形成され、固着具の頭部がコネクタ１０；１１とコネクタ取付部１２；１３の左面と平行する縦横に移動可能にかつコネクタ取付部１２；１３の左面と直交する方向に移動しないようにコネクタ１０；１１を個別に支持する。これによって、固着具の外周面とコネクタ１０；１１の取付孔との間の隙間だけ、コネクタ１０；１１が前後方向および上下方向に移動し得るようにコネクタ取付部１２；１３にフローティング支持される。
【００１０】
取付可動盤１５は、左右方向に移動可能でかつ前後方向と上下方向に移動不能となるようにレール７に装着されることによって可動枠３の後部に取り付けられたり取り外されたりする構造体である。取付可動盤１５の後部には、複数の制御装置が上下に分かれ取り付けられたり取り外されたりする。取付可動盤１５の上縁部および下縁部は、レール７に摺接係合される滑動部１６として構成される。取付可動盤１５の後壁には、制御取付部１７；１８が設けられる。
【００１１】
制御取付部１７は、制御装置２５に対応する部分である。制御取付部１７には、拘束部１９、鉤部２０、案内孔２１が設けられる。拘束部１９は、取付可動盤１５の後壁から斜め後方に突出した弾性片として構成される。鉤部２０は、取付可動盤１５の後壁から後方に突出する。案内孔２１は、鉤部２０の後壁に前後方向への貫通孔として、複数形成される。案内孔２１の個数は、制御装置２５の鉤部２９と同数である。
【００１２】
制御取付部１８は、制御装置２６に対応する部分である。制御取付部１８には、拘束部２２、鉤部２３、案内孔２４が設けられる。拘束部２２は、取付可動盤１５の後壁から斜め後方に突出した弾性片として構成される。鉤部２３は、取付可動盤１５の後壁から後方に突出する。案内孔２４は、鉤部２３の後壁に前後方向への貫通孔として複数形成される。案内孔２４の個数は、制御装置２６の鉤部３３と同数である。
【００１３】
制御装置２５は、主制御装置からの出力によって音や光および画像による演出を統括する処理を実行する統括制御装置を構成し、合成樹脂からなる制御容器２７に電気部品の実装された回路基板２８を内蔵した構造である。制御装置２５の前部には、鉤部２９が複数設けられる。鉤部２９は、制御容器２７の前壁から前方に突出する縦片と、縦片から左方に制御容器２７の前壁との間に隙間を形成するように突出した横片とから構成される。制御容器２７の左側部には、回路基板２８に実装されたコネクタ３０が露出する。
【００１４】
制御装置２６は、遊技処理の全般を実行する主制御装置を構成し、合成樹脂からなる制御容器３１に電気部品の実装された回路基板３２を内蔵した構造である。制御装置２６の前部には、鉤部３３が複数設けられる。鉤部３３は、制御容器３１の前壁から前方に突出する縦片と、縦片から左方に制御容器３１の前壁との間に隙間を形成するように突出した横片とから構成される。制御容器３１の左側部には、回路基板３２に実装されたコネクタ３４が露出する。
【００１５】
制御装置２５；２６の遊技機枠１への取付方には、２通りある。その１つは、制御装置２５；２６が取付可動盤１５に取り付けられた後、取付可動盤１５が可動枠３に取り付けられる場合である。もう１つは、取付可動盤１５が可動枠３に取り付けられた後、制御装置２５；２６が取付可動盤１５に取り付けられる場合である。
【００１６】
制御装置２５；２６が取付可動盤１５に取り付けられた後、取付可動盤１５が可動枠３に取り付けられる場合について説明する。先ず、制御装置２５；２６が取付可動盤１５に個別に取り付けられる。それには、制御装置２５の前部と取付可動盤１５の後部とが互いに向き合わせられる。そして、制御装置２５の前部が取付可動盤１５の後部の方に移動されることによって、制御装置２５が拘束部１９を前方に押して弾性変形させ、鉤部２９が案内孔２１に挿入される。その後、制御装置２５が右から左方向に移動されることによって、取付可動盤１５の鉤部２０と制御装置２５の鉤部２９とが互いに前後方向に抜けないように嵌め合わされる。そして、制御装置２５の右側部が拘束部１９を左方に越えると、拘束部１９が後方に弾性的に突出して制御装置２５の右側部に係合して制御装置２５の左側から右側に移動する取外方向への移動を阻止し、制御装置２５が取付可動盤１５の後部に取り付けられる。
【００１７】
また、制御装置２６の前部と取付可動盤１５の後部とが互いに向き合わせられる。そして、制御装置２６の前部が取付可動盤１５の後部の方に移動されることによって、制御装置２６が拘束部２２を前方に押して弾性変形させ、鉤部３３が案内孔２４に挿入される。その後、制御装置２６が右から左方向に移動されることによって、取付可動盤１５の鉤部２３と制御装置２６の鉤部３３とが互いに前後方向に抜けないように嵌め合わされる。そして、制御装置２６の右側部が拘束部２２を左方に越えると、拘束部２２が後方に弾性的に突出して制御装置２６の右側部に係合して制御装置２６の左側から右側に移動する取外方向への移動を阻止し、制御装置２６が取付可動盤１５の後部に取り付けられる。
【００１８】
次に、制御装置２５；２６を備えた取付可動盤１５が可動枠３に取り付けられる。それには、取付可動盤１５の前部が前方に向けられ、取付可動盤１５の左側部が可動枠３の右側部に向けられる。そして、滑動部１６がレール７の右側部に嵌め込まれた後、取付可動盤１５が右から左方向に移動させられて可動枠３の後部に取り付けられ、コネクタ３０がコネクタ１０に接続され、コネクタ３４がコネクタ１１に接続される。コネクタ３０がコネクタ１０に接続される場合、コネクタ３０の進入に伴い、コネクタ１０がフローティング支持されたコネクタ取付部１２に対し上下方向または前後方向に倣い移動し、コネクタ１０とコネクタ３０との嵌め合い位置が確保され、コネクタ１０の電気接続端子とコネクタ３０の電気接続端子とが適切に接続される。その場合、コネクタ３４の進入に伴い、コネクタ１１がフローティング支持されたコネクタ取付部１３に対し上下方向または前後方向に倣い移動し、コネクタ１１とコネクタ３４との嵌め合い位置が確保され、コネクタ１１の電気接続端子とコネクタ３４の電気接続端子とが適切に接続される。
【００１９】
取付可動盤１５が可動枠３に取り付けられた後、制御装置２５；２６が取付可動盤１５に取り付けられる場合について説明する。先ず、取付可動盤１５が可動枠３に取り付けられる。それには、取付可動盤１５の前部が前方に向けられ、取付可動盤１５の左側部が可動枠３の右側部に向けられる。そして、滑動部１６がレール７の右側部に嵌め込まれた後、取付可動盤１５が右から左方向に移動させられて中央開口部６を塞ぐ位置で図外のストッパに受け止められてそれ以上左方に行かないように可動枠３の後部に取り付けられるか、または、取付可動盤１５が右から左方向に移動させられて中央開口部６を塞ぐ位置で停止された後に図外のねじ釘などの固着具で可動枠３またはレール７に固定されて取付可動盤１５が左右方向に移動しないように可動枠３の後部に取り付けられる。
【００２０】
次に、制御装置２５；２６が可動枠３に設置された取付可動盤１５に個別に取り付けられる。それには、制御装置２５の前部が取付可動盤１５の後方から取付可動盤１５に近づけられ、制御装置２５が拘束部１９を前方に押して弾性変形させ、鉤部２９が案内孔２１に挿入される。その後、制御装置２５が右から左方向に移動される。これに伴い、コネクタ３０がコネクタ１０に接続される。その場合、コネクタ３０の進入に伴い、コネクタ１０がフローティング支持されたコネクタ取付部１２に対し上下方向または前後方向に倣い移動し、コネクタ１０とコネクタ３０との嵌め合い位置が確保され、コネクタ１０の電気接続端子とコネクタ３０の電気接続端子とが適切に接続され、取付可動盤１５の鉤部２０と制御装置２５の鉤部２９とが互いに前後方向に抜けないように嵌め合わされる。そして、制御装置２５の右側部が拘束部１９を左方に越えると、拘束部１９が後方に弾性的に突出して制御装置２５の右側部に係合して制御装置２５の左側から右側に移動する取外方向への移動を阻止し、制御装置２５が取付可動盤１５の後部に取り付けられる。
【００２１】
また、制御装置２６の前部が取付可動盤１５の後方から取付可動盤１５に近づけられ、制御装置２６が拘束部２２を前方に押して弾性変形させ、鉤部３３が案内孔２４に挿入される。その後、制御装置２６が右から左方向に移動される。これに伴い、コネクタ３４がコネクタ１１に接続される。その場合、コネクタ３４の進入に伴い、コネクタ１１がフローティング支持されたコネクタ取付部１３に対し上下方向または前後方向に倣い移動し、コネクタ１１とコネクタ３４との嵌め合い位置が確保され、コネクタ１１の電気接続端子とコネクタ３４の電気接続端子とが適切に通電可能に接続され、取付可動盤１５の鉤部２３と制御装置２６の鉤部３３とが互いに前後方向に抜けないように嵌め合わされる。そして、制御装置２６の右側部が拘束部２２を左方に越えると、拘束部２２が後方に弾性的に突出して制御装置２６の右側部に係合して制御装置２６の左側から右側に移動する取外方向への移動を阻止し、制御装置２６が取付可動盤１５の後部に取り付けられる。
【００２２】
要するに、図１において、取付可動盤１５が左右の横移動されることによって可動枠３に着脱され、鉤部２９；３３が案内孔２１；２４に挿入された状態において制御装置２５；２６が左右に横移動されることによって取付可動盤１５に着脱されるというように、取付可動盤１５の可動枠３への着脱方向と、複数の制御装置２５；２６の取付可動盤１５への着脱方向とが同じ方向に構成されているので、複数の制御装置２５；２６が可動枠３に取り付けられた取付可動盤１５に個別に着脱してもよいが、複数の制御装置２５；２６が取付可動盤１５に取り付けられた後、取付可動盤１５が可動枠３に取り付けられることによって、複数の制御装置２５；２６が遊技機枠の制御装置２５；２６を取り付ける対象構造体としての可動枠３の後部に容易に着脱できるという利点がある。
【００２３】
また、取付可動盤１５の可動枠３への着脱方向と、複数の制御装置２５；２６の取付可動盤１５への着脱方向と、可動枠３の側のコネクタユニット８における複数のコネクタ１０；１１と複数の制御装置２５；２６におけるコネクタ３０；３４との着脱方向とが、同じ方向に構成されているので、複数のコネクタ１０；１１の電気接続端子と複数のコネクタ３０；３４の電気接続端子とが適切に通電可能に接続されるという利点がある。
【００２４】
制御装置２５の鉤部２９および制御取付部１７の案内孔２１が制御装置２５の取付方向に行くにしたがって徐々に上下幅が狭くなる形状に構成されたので、鉤部２９が案内孔２１に後方から挿入された後、制御装置２５が右から左方向に直線的に移動され、鉤部２０；２９が互いに前後方向に抜けないように嵌め合わされた場合、鉤部２９の縦片が案内孔２１の上縁部と下縁部とに接触し、制御装置２５が上下方向に振動しないように取付可動盤１５の後部に固定されるという利点がある。
【００２５】
制御装置２６の鉤部３３および制御取付部１８の案内孔２４が制御装置２６の取付方向に行くにしたがって徐々に上下幅が狭くなる形状に構成されたので、鉤部３３が案内孔２４に後方から挿入された後、制御装置２６が右から左方向に直線的に移動され、鉤部２３；３３が互いに前後方向に抜けないように嵌め合わされた場合、鉤部３３の縦片が案内孔２４の上縁部と下縁部とに接触し、制御装置２６が上下方向に振動しないように取付可動盤１５の後部に固定されるという利点がある。
【００２６】
図２を参照し、可動枠３の後部について説明する。可動枠３の後部には、払出ユニット３５が設けられる。払出ユニット３５は、タンク３６に上方に開口した貯蔵室３７や払出体３８およびモータ３９を備える。タンク３６は、盤収容室５の上部に位置するように、可動枠３の後部に取り付けられる。払出体３８は、貯蔵室３７の底部に設けられる。モータ３９は、タンク３６の外部に設けられる。モータ３９のモータ軸のような出力軸が払出体３８に連結される。そして、モータ３９が停止した場合、つまり、払出体３８がモータ３９の出力軸の停止によって停止した場合、球が払い出されることなく貯蔵室３７に貯蔵される。球が貯蔵室３７に貯蔵された状態において、払出体３８がモータ３９の出力軸によって回転すると、払出体３８が貯蔵室３７から球を１個ずつ分離しながらタンク３６の下方外部に払い出す。タンク３６の下方外部に払い出された球は、図外の通路構造体を経由して図外の受皿に払い出される。受皿は、図外の下扉の前部に設けられる。下扉は、可動枠３の前部に設けられる。
【００２７】
可動枠３の盤収容室５よりも左下部には、発射取付部４０が設けられる。発射取付部４０の前部には、図外の発射機構が取り付けられる。コネクタユニット８の取付固定台９には、一対の支柱４１がコネクタ１０よりも上下に位置しかつ取付固定台９から後方に突出するように設けられる。支柱４１には、中継端子ユニット４２がヒンジ４３を中心として横方向に開閉可能に設けられる。中継端子ユニット４２が図示のように開けられると、コネクタ１０が中継端子ユニット４２から解放され、中継端子ユニット４２が閉じられると、コネクタ１０が中継端子ユニット４２で覆われる。
【００２８】
図３を参照し、コネクタユニット８のコネクタ１０；１１が取付固定台９に取り付けられる部分の構造について説明する。取付固定台９のコネクタ取付部１２には、左右方向に貫通する浮動用孔４５が設けられる。取付固定台９のコネクタ取付部１３には、左右方向に貫通する浮動用孔４６が設けられる。
【００２９】
コネクタ１０が設けられた回路ユニット４７のユニットケース４８には、浮動用支柱４９、コネクタ基板５０、位置決め部５１、解除レバー５２が設けられる。コネクタ基板５０は、ユニットケース４８の後部に固定される。コネクタ基板５０の後面には、コネクタ１０および複数のコネクタ５３が実装される。コネクタ１０；５３は、コネクタ基板５０を構成する回路基板における薄状の導電体で互いに接続される。位置決め部５１は、コネクタ１０よりも上下に位置し、ユニットケース４８から左側に突出する筒としてユニットケース４８に設けられる。解除レバー５２は、ユニットケース４８に固定されたレバー支持部５４に、コネクタ１０よりも後方に位置して上下方向に延びるレバー軸５５を中心として左右方向に回転し得るように設けられる。解除レバー５２におけるレバー軸５５よりも前方に突出した部分は、解除爪５６として構成される。
【００３０】
そして、回路ユニット４７がコネクタ取付部１２に取り付けられるには、浮動用支柱４９がコネクタ取付部１２の右側から浮動用孔４５に挿入された後、止具５７が浮動用支柱４９のコネクタ取付部１２よりも左側に突出した部分に被せられ、ねじ釘５８が止具５７の貫通孔を経由して浮動用支柱４９に締結される。これによって、コネクタ取付部１２における浮動用孔４５の周りの部分がユニットケース４８における浮動用支柱４９の周りの部分と止具５７との間に挟まれ、浮動用支柱４９と浮動用孔４５との間に隙間が形成され、ユニットケース４８がコネクタ取付部１２に前後方向および上下方向に移動可能にフローティング支持される。
【００３１】
コネクタ１１が設けられた回路ユニット５９のユニットケース６０には、浮動用支柱６１、コネクタ基板６２、位置決め部６３、解除レバー６４が設けられる。コネクタ基板６２は、ユニットケース６０の後部に固定される。コネクタ基板６２の後面には、コネクタ１１および複数のコネクタ６５が実装される。コネクタ１１；６５は、コネクタ基板６２を構成する回路基板における薄状の導電体で互いに接続される。位置決め部６３は、コネクタ１１よりも上下に位置し、ユニットケース６０から左側に突出する筒としてユニットケース６０に設けられる。解除レバー６４は、ユニットケース６０に固定されたレバー支持部６６に、コネクタ１１よりも後方に位置して上下方向に延びるレバー軸６７を中心として左右方向に回転し得るように設けられる。解除レバー６４におけるレバー軸６７よりも前方に突出した部分は、解除爪６８として構成される。
【００３２】
そして、回路ユニット５９がコネクタ取付部１３に取り付けられるには、浮動用支柱６１がコネクタ取付部１３の右側から浮動用孔４６に挿入された後、止具６９が浮動用支柱６１のコネクタ取付部１３よりも左側に突出した部分に被せられ、ねじ釘７０が止具６９の貫通孔を経由して浮動用支柱６１に締結される。これによって、コネクタ取付部１３における浮動用孔４６の周りの部分がユニットケース６０における浮動用支柱６１の周りの部分と止具６９との間に挟まれ、浮動用支柱６１と浮動用孔４６との間に隙間が形成され、ユニットケース６０がコネクタ取付部１３に前後方向および上下方向に移動可能にフローティング支持される。
【００３３】
図４を参照し、複数の制御装置２５；２６のコネクタ３０；３４がコネクタユニット８のコネクタ１０；１１に個別に嵌め合わされる部分の構造について説明する。制御装置２５における制御容器２７には、位置決め部７１および解除突起７２が設けられる。位置決め部７１は、コネクタ３０よりも上下に位置し、制御容器２７から左側に突出する棒として制御容器２７に設けられる。解除突起７２は、コネクタ３０と位置決め部７１との間に位置し、制御容器２７から左側に突出する物体として制御容器２７に設けられる。そして、コネクタ１０；３０が互いに嵌め合わされるには、先ず、位置決め部５１；７１が互いに嵌め合わせられるのに伴い、ユニットケース４８が前後方向および上下方向に浮動し、コネクタ１０；３０における相互の位置が大まかに合わされる。引き続き、位置決め部５１；７１における相互の嵌め合わせが進行するのに伴い、コネクタ１０のボディがコネクタ３０のボディの内部に収容されて整合し、コネクタ１０；３０における相互の位置が正確に合わされ、コネクタ１０の電気接続端子とコネクタ３０の電気接続端子とが適切に接続される。このようにコネクタ１０；３０が互いに嵌め合わされる際、解除突起７２はコネクタ１０とレバー支持部５４との間の空間に配置されて解除レバー５２の解除爪５６を右側から左側に押す（図５のａ図参照）。
【００３４】
制御装置２６における制御容器３１には、位置決め部７３および解除突起７４が設けられる。位置決め部７３は、コネクタ３４よりも上下に位置し、制御容器３１から左側に突出する棒として制御容器３１に設けられる。解除突起７４は、コネクタ３４と位置決め部７３との間に位置し、制御容器３１から左側に突出する物体として制御容器３１に設けられる。そして、コネクタ１１；３４が互いに嵌め合わされるには、先ず、位置決め部６３；７３が互いに右側から左側に嵌め合わされるのに伴い、ユニットケース６０が前後方向および上下方向に浮動し、コネクタ１１；３４における相互の位置が大まかに合わされる。引き続き、位置決め部６３；７３における相互の嵌め合わせが進行するのに伴い、コネクタ１１のボディがコネクタ３４のボディの内部に収容されて整合し、コネクタ１１；３４における相互の位置が正確に合わされ、コネクタ１１の電気接続端子とコネクタ３４の電気接続端子とが適切に接続される。このようにコネクタ１１；３４が互いに嵌め合わされる際、解除突起７４はコネクタ１１とレバー支持部６６との間の空間に配置されて解除レバー６４の解除爪６８を右側から左側に押す。
【００３５】
図５を参照し、解除レバー５２の作用について説明する。図５のａ図に示すように、コネクタ１０；３０が互いに嵌め合わされ、コネクタ１０の電気接続端子とコネクタ３０の電気接続端子とが接続され、拘束部１９が鉤部２０よりも後方に突出して制御装置２５における制御容器２７の右側部に係合して制御装置２５の左側から右側に移動する取外方向への移動を阻止した場合、解除突起７２が解除爪５６を右側から左側に押し、解除レバー５２がレバー軸５５から後方に直線的に突出した形態になる。その状態において、作業者が拘束部１９を前側に押して制御装置２５に対する係合を解除したまま解除レバー５２を右側から左側に押す。これによって、図５のｂ図に示すように、解除レバー５２がレバー軸５５を中心として右側から左側に回転するのに伴い、解除爪５６がレバー軸５５を中心として左側から右側に回転して解除突起７２を左側から右側に押し、制御装置２５が拘束部１９を左側に越えて矢印Ｘ１で示す方向に移動し、コネクタ１０；３０の嵌め合いが容易に解除される。
【００３６】
図４における解除レバー６４の作用については、図５のコネクタ１０；３０、拘束部１９、鉤部２０、制御装置２５、制御容器２７、解除レバー５２、レバー軸５５、解除爪５６、解除突起７２を、図４のコネクタ１１；３４、拘束部２２、鉤部２３（図１参照）、制御装置２６、制御容器３１、解除レバー６４、レバー軸６７、解除爪６８、解除突起７４と読み替えることによって、理解できるであろう。
【産業上の利用可能性】
【００３７】
図６は、発明を実施するための異なる形態を示す。図６では上下一対のレール７５が制御取付部１７に設けられ、上下一対の滑動部７６が制御容器２７に設けられ、滑動部７６が左右方向に移動可能でかつ前後方向と上下方向に移動不能となるようにレール７５に装着されることによって、制御装置２５が制御取付部１７に取り付けられたり取り外されたりする構造が、また、上下一対のレール７７が制御取付部１８に設けられ、上下一対の滑動部７８が制御容器３１に設けられ、滑動部７８が左右方向に移動可能でかつ前後方向と上下方向に移動不能となるようにレール７７に装着されることによって、制御装置２６が制御取付部１８に取り付けられたり取り外されたりする構造が、最良の形態と異なる。
【００３８】
図１では、図示を省略したが、液晶表示器などの面状表示器からなる画像表示器の表示画面が前方に向けられ、当該画像表示器が取付可動盤１５の前部に設けられ、取付可動盤１５がレール７に嵌め込まれて可動枠３の後部に取り付けられ、画像表示器の表示画面が中央開口部６と対応することによって、画像表示器の表示画面に表示された画像が遊技機枠１の前方から中央開口部６を経由して見えるようにしてもよい。
【００３９】
図１および図２では、図示を省略したが、上扉および下扉が可動枠３の前部に開閉可能に設けられる。上扉および下扉は、左側部に位置するヒンジを中心とし、可動枠３の前部において個別に前方に開かれかつ後方に閉じられるように、片開き可能に構成される。上扉および下扉は、前扉として一体に構成されてもよい。上扉は、パネル枠とも呼ばれ、窓や窓パネルを備える。窓は、前後方向への貫通孔として構成される。窓パネルは、板状のガラスなどの透明体により構成され、窓を後方から塞ぐ。下扉の前部には、受皿および発射操作機構が設けられる。遊技盤が盤収容室５に取り付けられた後、上扉が閉じられて可動枠３に開閉不能に支持されることによって、パチンコ遊技機が構成される。このパチンコ遊技機では、窓パネルと遊技盤の前面との間におけるガイドレールで囲まれた部分が遊技領域として構成される。この遊技領域は、発射機構から発射された球の飛び交う空間であり、かつ、遊技機枠１の前方から窓および窓パネルを通して視認し得る空間である。遊技領域には、入賞部品や遊技釘およびアウト口などが設けられる。
【００４０】
図１および図６において、取付可動盤１５が可動枠３の後部に上下方向に移動可能に着脱するように設けられ、制御装置２５；２６が取付可動盤１５の後部に上下方向に移動可能に着脱するように設けられてもよい。
【００４１】
図４において、位置決め部５１；６３が棒として構成され、位置決め部７１；７３が筒として構成されてもよい。
【００４２】
図４乃至図５において、解除レバー５２；６４、レバー支持部５４；６６、レバー軸５５；６７、解除爪５６；６８が除去され、拘束部１９；２２が前側に押されたまま、制御装置２５；２６が取付方向と反対側につまり左側から右側に横移動されることによって、コネクタ１０；３０との嵌合が解除され、コネクタ１１；３４との嵌合が解除されるようにすれば、構造が簡単になるという利点がある。
【図面の簡単な説明】
【００４３】
【図１】遊技機における制御取付装置の分解斜視図（最良の形態）。
【図２】遊技機枠の斜視図（最良の形態）。
【図３】コネクタユニットの分解斜視図（最良の形態）。
【図４】コネクタユニットおよび制御装置の分解斜視図（最良の形態）。
【図５】解除レバーの動作を示す平面図的な模式図（最良の形態）。
【図６】遊技機における制御取付装置の分解斜視図（異なる形態）。
【図７】遊技機における制御取付装置の分解斜視図（従来）。
【符号の説明】
【００４４】
１は遊技機枠、２は固定枠、３は可動枠、４はヒンジ、５は盤収容室、６は中央開口部、７はレール、８はコネクタユニット、９は取付固定台、１０；１１はコネクタ、１２；１３はコネクタ取付部、１４は欠番、１５は取付可動盤、１６は滑動部、１７；１８は制御取付部、１９は拘束部、２０は鉤部、２１は案内孔、２２は拘束部、２３は鉤部、２４は案内孔、２５；２６は制御装置、２７は制御容器、２８は回路基板、２９は鉤部、３０はコネクタ、３１は制御容器、３２は回路基板、３３は鉤部、３４はコネクタ、３５は払出ユニット、３６はタンク、３７は貯蔵室、３８は払出体、３９はモータ、４０は発射取付部、４１は支柱、４２は中継端子ユニット、４３はヒンジ、４４は欠番、４５は浮動用孔、４６は浮動用孔、４７は回路ユニット、４８はユニットケース、４９は浮動用支柱、５０はコネクタ基板、５１は位置決め部、５２は解除レバー、５３はコネクタ、５４はレバー支持部、５５はレバー軸、５６は解除爪、５７は止具、５８はねじ釘、５９は回路ユニット、６０はユニットケース、６１は浮動用支柱、６２はコネクタ基板、６３は位置決め部、６４は解除レバー、６５はコネクタ、６６はレバー支持部、６７はレバー軸、６８は解除爪、６９は止具、７０はねじ釘、７１は位置決め部、７２は解除突起、７３は位置決め部、７４は解除突起、７５はレール、７６は滑動部、７７はレール、７８は滑動部、７９；８０は欠番、８１は取付台、８２は係合突起、８３は係合溝、８４は制御装置、８５は制御容器、８６；８７はコネクタ。
【図１】
2009072364.tif 000003
【図２】
2009072364.tif 000004
【図３】
2009072364.tif 000005
【図４】
2009072364.tif 000006
【図５】
2009072364.tif 000007
【図６】
2009072364.tif 000008
【図７】
2009072364.tif 000009